(57)【要約】【課題】  電気的な制御を必要せず簡易な構造であると共に、給水用パイプラインの末端開口での水圧も利用せず自動で給水及び止水をできるようにした自動給水栓を提供する。【解決手段】  自動給水栓１は、給水用パイプライン２の末端開口３に接続される接続管４を上下にスライドするスライド管５と、このスライド管５に連結されるフロート７とを備えているので、水位が設定水位Ｈから下降し始めると、フロート７が下降すると共にスライド管５が下降して、接続管４の上端開口４０が次第に開放されて除々に給水量を増加させる。一方、水位が上昇すると、フロート７が上昇すると共にスライド管５が上昇して、接続管４の上端開口４０が次第に閉塞されて除々に給水量を減少させる。これにより、電気的な制御を必要とせず簡易な構造で、水圧を利用することなく自動で給水及び止水を行うことができる。【選択図】        図１
2005348613.tif 000002
【特許請求の範囲】
【請求項１】
給水用パイプラインの末端開口に接続される自動給水栓であって、
前記給水用パイプラインの末端開口を開閉する方向に移動可能な弁体と、該弁体に連結されるフロートとを備えることを特徴とする自動給水栓。
【請求項２】
前記弁体の移動手段は、水位の変動に伴って上下移動する前記フロートと、前記フロートの移動を規制する保持手段とから構成されることを特徴とする請求項１に記載の自動給水栓。
【請求項３】
前記保持手段は、前記フロートと共に上下移動する磁石と、前記弁体を上下移動可能に支持する支持部材に備えられた上下一対の磁性部材とから構成されることを特徴とする請求項２に記載の自動給水栓。
【発明の詳細な説明】
【技術分野】
【０００１】
本発明は、ほ場（農地等）への灌漑用水の供給のため、ほ場に配管される給水用パイプラインの末端開口に接続される自動給水栓に関するものである。
【背景技術】
【０００２】
一般に、ほ場への給水設備を整備する際、ほ場への給水方式は、自然圧式とポンプ圧送式の２種類に大別される。ここで、ポンプ圧送式の場合には、ポンプ設備を整備する必要があり、維持費を含め莫大な費用が必要である。そのため、近年においては、比較的コスト面で有利な自然圧を利用した自然圧式パイプラインが整備されるようになってきた。
しかしながら、現状では、自然圧式パイプラインからの給水方法は、パイプラインの末端開口に手動バルブを設け、手動バルブを操作して給水及び止水を行っているか、あるいは、パイプラインの末端開口を開口させたままで垂れ流しの状態となっている。
そこで、自然圧式パイプラインの末端開口に接続される給水栓において、まず、電気を使用する方式では、ほ場の水位を感知して、電磁バルブ等を利用してパイプラインの末端開口の開閉を電気的に制御して給水及び止水を行っているが、このような電気制御による方式は、電源の確保等の問題や、構造が複雑になり装置本体の費用が高く維持費も必要になるため採用が難しい。一方、電気を使用しない方式では、ほ場に水位センサーを設け、パイプライン内の水圧を利用してパイプラインの末端開口する開閉する弁を自動で開閉作動させるものがある。しかしながら、水圧を利用して弁を自動開閉させるものにおいては、給水用パイプラインの末端開口での水圧を最低でも０．００５ＭＰａ以上確保する必要があり、換言すれば、水圧を最低でも０．００５ＭＰａ以上確保できなければ、水圧を利用した給水方式を採用することはできないということになる。
【０００３】
また、電気を使用せず水圧を利用して給水する方式として特許文献１には、自動運転モードの場合では、水田の水面が下がると、水位を感知するフロートが下降して大気開放弁が開状態となり、一次圧室内の圧力が開口部の上流側の圧力よりも小さくなり、弁体が水圧により上方へ押し上げられ、自動給水装置が開状態となって給水され、一方、水田に水が供給されて水面が上がると、フロートが上昇して大気開放弁が閉状態となり、一次圧室内の圧力が開口部の上流側の圧力と等しくなりダイヤフラムの有効受圧面積が弁体の受圧面積よりも大きいため、弁体が下降して、自動給水装置が閉状態となって止水されることが開示されている。
【０００４】
【特許文献１】特開２００３−２６８７５５号公報
【発明の開示】
【発明が解決しようとする課題】
【０００５】
しかしながら、特許文献１の発明では、自動運転モードにおいて、開口部の上流側である入口流路の水圧が一次圧室内の圧力よりも相当大きい場合には、水圧により弁体が押し上げられ自動給水装置を開状態にできるが、入口流路の水圧が極端が小さい場合（例えば０．００５ＭＰａ以下の場合）には、水圧により弁体を押し上げることができず自動給水装置を開状態にすることができないため、手動操作により、弁体を上昇させて自動給水装置を開状態としており、まだ多くの課題を残している。
【０００６】
本発明は、かかる点に鑑みてなされたものであり、電気的な制御を必要せず簡易な構造であると共に、給水用パイプラインの末端開口での水圧を利用することなく自動で給水及び止水をできるようにした自動給水栓を提供することを目的とする。
【課題を解決するための手段】
【０００７】
本発明は、上記課題を解決するための手段として、請求項１に記載した発明は、給水用パイプラインの末端開口に接続される自動給水栓であって、前記給水用パイプラインの末端開口を開閉する方向に移動可能な弁体と、該弁体に連結されるフロートとを備えることを特徴とするものである。
このように構成することにより、自動給水栓が配置されるほ場の水位の変動に伴ってフロートが上下移動するので、水位が設定水位から下降し始めるとフロートの下降に伴って、フロートに連結された弁体が、給水用パイプラインの末端開口を開放する方向に除々に移動して給水量が除々に増加される。
一方、水位が上昇し始めるとフロートの上昇に伴って、フロートに連結された弁体が、給水用パイプラインの末端開口を閉塞する方向に除々に移動して給水量を除々に減少させ、水位が設定水位に到達すると給水が停止される。
【０００８】
請求項２に記載した発明は、請求項１に記載した発明において、前記弁体の移動手段は、水位の変動に伴って上下移動する前記フロートと、前記フロートの移動を規制する保持手段とから構成されることを特徴とするものである。
このように構成することにより、水位が設定水位から下降し始め、水位が所定の水位に達するまでは、保持手段によりフロートの下降が規制されると共に、水位が所定の水位よりも下がると、保持手段によるフロートの移動規制が解除され、フロートは自重と浮力が均衡する位置まで下降すると共に、フロートに連結された弁体は、瞬時に給水用パイプラインの末端開口を全開させる位置まで移動して、給水量が最大となり急激に給水量が増加される。
一方、水位が設定水位から上昇し始め、水位がフロートの所定の水位に達するまでは、保持手段によりフロートの上昇が規制されると共に、水位が所定の水位よりも上がると、保持手段によるフロートの移動規制が解除され、フロートは浮力と自重が均衡する位置まで上昇すると共に、フロートに連結された弁体は、瞬時に給水用パイプラインの末端開口を全閉させるまで位置まで移動して、給水が停止される。
【０００９】
請求項３に記載した発明は、請求項２に記載した発明において、前記保持手段は、前記フロートと共に上下移動する磁石と、前記弁体を上下移動可能に支持する支持部材に備えられた上下一対の磁性部材とから構成されることを特徴とするものである。
このように構成することにより、水位が設定水位から下降し始め、水位が所定の水位に達するまでは、磁石と上方の磁性部材との磁力がフロートの下向きの荷重よりも勝っているためフロートの下降が規制され、水位が所定の水位よりも下がると、フロートの下向きの荷重が磁石と上方の磁性部材との磁力よりも勝り、磁石と上方の磁性部材との保持力が途切れると同時にフロートが下降を始め、フロートは自重と浮力が均衡する位置まで沈降すると共に、弁体は給水用パイプラインの末端開口を全開させる位置まで連続で移動して、給水量が最大となり急激に給水量が増加される。さらに、弁体には磁石と下方の磁性部材との磁力が付与されてその状態が維持される。
一方、水位が上昇し始め、水位が所定の水位に達するまでは、磁石と下方の磁性部材との磁力がフロートの浮力よりも勝っているためフロートの上昇が規制され、水位が所定の水位よりも上がると、フロートの浮力が磁石と下方の磁性部材との磁力よりも勝り、磁石と下方の磁性部材との保持力が途切れると同時にフロートが上昇を始め、フロートは浮力と自重が均衡する位置まで上昇すると共に、弁体は給水用パイプラインの末端開口を全閉させる位置まで連続で移動して、給水が停止される。さらに、弁体には磁石と上方の磁性部材との磁力が付与されてその状態が維持される。
【発明の効果】
【００１０】
請求項１に記載した発明によれば、給水用パイプラインの末端開口を開閉する弁体は、水位の変動で上下動するフロートに連結され、水位の変動に伴うフロートの上下動によって、弁体を給水用パイプラインの末端開口を開閉する方向に移動させて、自動で給水及び止水を行っているので、弁体の開閉動作に係る構造に電磁弁などの電気的な制御を採用することなく、簡易な構造で構成でき、装置全体及び維持管理のコストを低減することができる。また、弁体の開閉動作には水圧を利用せず、弁体をフロートの水位変動による上下動によって作動させており、しかも、給水用パイプラインの末端開口での水圧損失を出来るだけ低減しているので、水圧の極端に低い場所への自動給水が可能となる。
【００１１】
請求項２に記載した発明によれば、水位が所定の水位に到達するまではフロートの移動が規制され、水位が所定の水位より上昇または下降すると、瞬時に弁体が給水用パイプラインの末端開口を全開閉させる位置まで移動され、中間的な開度になることがないので、給水時間を短くできると共に、水位が所定の水位まで低下しなければ全開とならないので、止水時間が長くなり、水を有効に活用することができる。さらに、請求項２に記載した発明によれば、全開（給水）と全閉（止水）とを繰り返す間断給水が可能になり、この間断給水を、たん水と落水とを数日ごとに繰り返す水管理の方法である間断灌漑に適用することができ有用である。
【００１２】
請求項３に記載した発明によれば、保持手段を、複雑な構造とすることなく、簡易な構造で構成することができ、実用的である。
【発明を実施するための最良の形態】
【００１３】
以下、本発明を実施するための最良の形態を図１〜図６に基いて詳細に説明する。
ほ場には灌漑用水の供給のため給水用パイプライン２が配管され、この給水用パイプライン２の末端開口３には、自動で給水及び止水を行う自動給水栓１、１ａが備えられている。
まず、第１の実施の形態に係る自動給水栓１を図１〜図４に基いて説明する。
第１の実施の形態に係る自動給水栓１は、図１及び図２に示すように、給水用パイプライン２の末端開口３に固定される接続管４の外周面を上下に所定距離移動可能なスライド管（弁体）５と、接続管４に連結されると共にスライド管５の上端が当接する弁座６と、スライド管５に連結されるフロート７とから概略構成されている。
【００１４】
接続管４は、図１及び図２に示すように、給水用パイプライン２の末端開口３に取付フランジ８を介して固定されている。この接続管４のやや下部の外周面には、略円形の支持板９が一体に延設されており、この支持板９と取付フランジ８との間には、周方向に間隔をおいて複数の補強リブ１０が一体に形成されている。また、この支持板９の上面には、その周方向に間隔をおいて複数の第１連結棒（本実施形態では３本）１１が固定されている。これら第１連結棒１１の上端には略円形の第１上板１２が固定されており、この第１上板１２の直径は、支持板９の直径と略同一に設定されている。また、この第１上板１２の底面には、下方に滑らかに湾曲状に突出する弁座６が一体に形成されており、第１上板１２の全周端からは散水防止板１３が下方に延設されている。さらに、この第１上板１２には、後述するスライド管５と固定される複数の第２連結棒１５が上下動可能に挿通される挿通孔１６が複数形成されている。さらに、この第１上板１２の略中央には、上方に延びる所定長さの弁軸１７が固定ナットにより固定されている。
【００１５】
スライド管５は、図１及び図２に示すように、接続管４の外周面に上下にスライド可能に連結されている。このスライド範囲は、接続管４の支持板９の上面の高さから接続管４の略上端の高さまでの範囲Ｂとなる。また、スライド管５の上下方向略中央で、その外周面には略円形の支持板１８が一体に延設されており、この支持板１８の直径は、後述する第２上板２０の直径と略同一に設定されている。この支持板１８の上面には、周方向に間隔を置いて複数の第２連結棒（本実施の形態では３本）１５が固定されている。これらの第２連結棒１５は、第１上板１２の各挿通孔１６にそれぞれ上下動可能に挿通されると共に、その上端が略円形の第２上板２０に固定されている。この第２上板２０の略中央には開口２１が設けられ、この開口２１には下端に係止部２２を備えた支持管２３が挿通されている。
さらに、この支持管２３の外周面には全高に亘ってネジ部が設けられ、その上端には連結ブロック２７が螺合されており、この連結ブロック２７に略コ字状のフロートアーム２８が下向きに固定されている。このフロートアーム２８の両サイドアームの下端には各固定板３０、３０が設けられ、各固定ボルト２９、２９が各固定板３０、３０に挿通されると共に中空円筒状のフロート７の両側に設けた各挿通孔３１、３１に挿通されて各固定ナット３２、３２により締結されている。
そして、支持管２３の下部に螺合した固定ナット２４を締結することにより、支持管２３が第２上板２０に固定されると共に、支持管２３内に弁軸１７が上下スライド自在に挿通される。さらに、この支持管２３の上端部の内周面にネジ部が設けられ、手動操作用ハンドル２５の軸部２６に設けたネジ部が螺合されている。
【００１６】
このように構成することにより、給水パイプライン２の末端開口３に接続される接続管４、及びこの接続管４に第１連結棒１１を介して連結される第１上板１２と弁軸１７は、常時固定される形態となり、フロート７に連結される第２上板２０、及びこの第２上板２０に第２連結棒１５を介して連結されるスライド管５が、フロート７の上下移動に伴って上下動する形態となる。
【００１７】
次に、第１の実施の形態に係る自動給水栓１の作用を説明する。
まず、ほ場への給水が必要でない場合には、図３に示すように、手動操作用ハンドル２５を時計回り方向に回し、手動操作用ハンドル２５の軸部２６の下端２６ａを弁軸１７の上端１７ａに干渉させ、さらに、手動操作用ハンドル２５を同じ方向に回して、支持管２３と共にスライド管５を、その上端が弁座６に当接するまで上昇させて、接続管４の上端開口４０を外部と遮断する。
【００１８】
次に、自動給水する場合には、まず、次の要領で水位の設定を行う。自動給水栓１を図１に示すようなスライド管５の上端が弁座６に当接された状態、すなわち止水される状態としておき、フロート７を支持管２３の外周面のネジ部と螺合する連結ブロック２７に沿って回転させて、フロート７の喫水位置を所望の設定水位に一致させるように、フロート７の高さを適宜調整する。例えば、支持管２３の外周面に設定水位Ｈの目盛りを表示して、フロート７を回転させて上下させ所望の設定水位の目盛りと連結ブロック２７に付けた目印を一致させる。なお、支持管２３と連結ブロック２７のネジ部の螺合が弱い（緩みやすい）場合には、図示しない固定用のナットを追加する。
さらに、自動給水する場合には、手動操作用ハンドル２５の軸部２６の下端２６ａと弁軸１７の上端１７ａとの間の距離Ａを、スライド管５がスライドできる距離Ｂよりも長く設定しておく必要がある。
【００１９】
そこで、図１の状態は、水位が設定水位Ｈに到達している状態であり、スライド管５の上端は弁座６に当接されて、止水されている。
そして、水位が設定水位Ｈから下降し始めると、フロート７も水位の変動に伴って同様に下降する。すると、支持管２３に連結されたスライド管５が除々に下降して、接続管４の上端開口４０の外部との開口率が次第に増大され、給水量が除々に増大される。さらに水位が下降し下限水位Ｈ’（図２参照）まで下降すると、スライド管５の下端が接続管４の支持板９の上面に当接し全開状態（図２の状態）となり、給水量が最大となる。この時、給水される水は、図２の矢印に示すように、接続管４の上端開口４０から外方に流出すると共に、散水防止板１３に衝突して下方に流れるようになる。この散水防止板１３は、給水される水がフロート７の内周面に衝突して水圧によってフロート７の上下動に支障をきたすことを防いでいる。
【００２０】
次に、図２の状態から給水や雨水等により水位が上昇し始めると、フロート７も水位の変動に伴って同様に上昇する。すると、支持管２３と連結されたスライド管５が除々に上昇して、接続管４の上端開口４０の外部との開口率が次第に減少され、給水量が除々に減少される。そして、水位が設定水位Ｈまで上昇すると、スライド管５の上端が弁座６に当接し全閉状態（図１の状態）となり、止水される。
なお、止水をより確実にするため、スライド管５の支持板１８と接続管４の支持板９との間にバネ６０を入れる場合もある。
【００２１】
以上説明した第１の実施の形態に係る自動給水栓１は、給水用パイプライン２の末端開口３に接続された接続管４の上端開口４０と、この接続管４に連結された弁座６との間にスライド管５をスライドさせることにより、接続管４の上端開口４０を外部と連通及び遮断させて給水及び止水を行っており、しかも、このスライド管５は、スライド管５に連結されたフロート７の水位変動に伴う上下動によってスライドさせる構成とし、給水用パイプライン２内の水圧を利用しない形態であるので、水圧の極端に低い場所においても、自動で給水を行うことができる。また、第１の実施の形態では、水位の変動に伴って、接続管４の上端開口４０の外部との開口率を増減させて給水量を増減させているので、水位の変動に伴った給水が実現でき水を有効に活用することができる。
【００２２】
次に、第２の実施の形態に係る自動給水栓を図５及び図６に基いて説明する。
第２の実施の形態に係る自動給水栓１ａは、給水用パイプライン２の末端開口３に固定される接続管４の外周面を上下に移動可能なスライド管（弁体）５と、接続管４に連結されると共にスライド管５の上端が当接する弁座６と、スライド管５に連結されるフロート７と、このフロート７の移動を規制する保持手段５０とから概略構成されている。なお、第２の実施の形態に係る自動給水栓１ａは、第１の実施の形態に係る自動給水栓１の構成に保持手段５０を追加したものであるため、ここでの説明は、保持手段５０について詳細に説明し、その他の構成についてはその説明を省略する。
保持手段５０は、フロート７と共に上下移動する上下一対の磁石５２、５２’と、スライド管５を上下移動可能に支持する支持部材に備えられ、上下一対の磁石５２、５２’を内部に配置して上下動させるための空間を有する上下一対の磁性部材５１とから構成されている。
そこで、この実施の形態では、スライド管５を上下移動可能に支持する支持部材は、接続管４に第１連結棒１１を介して固定される第１上板１２として構成されている。この第１上板１２の上面に、断面略コ字状の磁性部材（上下一対の磁性部材）５１が、その開口が内方に向くように全周又は部分的に固定されている。また、この磁性部材５１の上部磁性板材５３と下部磁性板材５４との間の距離Ｃは、スライド管５がスライドできる距離Ｂと略同じに設定されている。
上下一対の磁石５２、５２’は、フロート７と共に上下移動する第２上板２０の表裏面のそれぞれに、第１上板１２に固定された磁性部材５１に対応する位置に固定されている。
そして、この磁性部材５１の内部に第２上板２０の表裏面それぞれに設けた上下一対の磁石５２、５２’が配置され、上下一対の磁石５２、５２’が磁性部材５１の上部磁性板材５３と下部磁性板材５４との間の空間を上下動できるように構成されている。
なお、上下一対の磁石５２、５２’それぞれの磁力は、フロート７の自重、設定水位Ｈ及び下限水位Ｈ’等の関係からスライド管５が後述する動作が成されるように適宜設定される。
【００２３】
次に、第２の実施の形態に係る自動給水栓１ａの作用を説明する。
まず、図５の状態（実線）は、水位が設定水位Ｈに到達している状態であり、スライド管５の上端は弁座６に当接されて、止水されている。
そして、水位が設定水位Ｈから下降し始め、水位が下限水位Ｈ’に達するまでは、フロート７の下向きの荷重よりも上部磁石５２と上部磁性板材５３との磁力が勝っているため、スライド管５の上端は弁座６に当接された状態が保持される。その後、水位が下限水位Ｈ’より下がると、フロート７の下向きの荷重が上部磁石５２と上部磁性板材５３との磁力よりも勝り、上部磁石５２と上部磁性板材５３との保持力が途切れ、フロート７はスライド管５と共に下降を始める。そして、フロート７は自重と浮力が均衡する位置（図５の２点鎖線の位置）まで沈降すると共にスライド管５も連続して下降し、スライド管５の下端が接続管４の支持板９の上面に近接すると、下部磁石５２’と下部磁性板材５４との磁力がさらに付与され、スライド管５の下端が接続管４の支持板９の上面に当接してその移動が規制される。この時、接続管４の上端開口４０が全開されて、給水量が最大となり急激に給水量が増加される（図６の状態）。
このように、水位が下限水位Ｈ’に到達すると、フロート７と共にスライド管５も下降を始め、その下端が接続管４の支持板９の上面に当接するまで連続して下降して、接続管４の上端開口４０が全開される。
【００２４】
次に、図６の状態（実線）から給水や雨水により水位が下限水位Ｈ’より上昇し始め、水位が設定水位Ｈに達するまでは、フロート７の浮力よりも下部磁石５２’と下部磁性板材５４との磁力が勝っているため、スライド管５の下端は支持板９の上面に当接された状態が保持される。その後、水位が設定水位Ｈより上がると、フロート７の浮力が下部磁石５２’と下部磁性板材５４との磁力よりも勝り、下部磁石５２’と下部磁性板材５４との保持力が途切れ、フロート７はスライド管５と共に上昇を始める。そして、フロート７は浮力と自重が均衡する位置（図６の２点鎖線の位置）まで上昇すると共にスライド管５も連続して上昇して、スライド管５の上端が弁座６に近接すると、上部磁石５２と上部磁性板材５３との磁力がさらに付与され、スライド管５の上端が弁座６に当接してその移動が規制される。この時、接続管４の上端開口４０が全閉されて、給水が停止される（図５の状態）。
このように、水位が設定水位Ｈに到達すると、フロート７が上昇を開始すると同時にスライド管５も上昇を始め、その上端が弁座６に当接するまで連続して上昇して、接続管４の上端開口４０が全閉される。
【００２５】
以上説明した第２の実施の形態に係る自動給水栓１ａによれば、水位が設定水位Ｈより下限水位Ｈ’に達すると、スライド管５が瞬時に下降して、接続管４の上端開口４０が全開され給水量が最大となり、一方、この給水により水位が下限水位Ｈ’より設定水位Ｈに達すると、スライド管５が瞬時に上昇して、接続管４の上端開口４０が全閉され止水される。これにより、フロート７の設定位置と水位の変動により、全開（給水）と全閉（止水）とを繰り返す間断給水が可能になり、この間断給水を、たん水と落水とを数日ごとに繰り返す水管理の方法である間断灌漑に適用することができ有用である。しかも、第１の実施の形態のように水位の変動に応じて給水量を除々に増減させる形態に比べて、水位を設定水位Ｈまで到達させる時間を短くすることができると共に、水位が一定水位まで低下しなければ全開とならないので、止水時間が長くなり、水をさらに有効に活用することができる。
【００２６】
なお、第２の実施の形態に係る自動給水栓１ａでは、スライド管５を上下移動可能に支持する支持部材を、接続管４に第１連結棒１１を介して固定される第１上板１２として構成されているが、支持部材を接続管４として構成し、この接続管４に設けた支持板９に磁性部材５１を固定してもよい。この形態の場合には、上下一対の磁石５２、５２’はスライド管５に設けた支持板１８の表裏面にそれぞれ固定すればよい。
また、第２の実施の形態に係る自動給水栓１ａでは、磁性部材５１を略コ字状に形成する形態を説明したが、コ字状に限らず、内部に所定の空間を有する上下一対の磁性部材が設けられれば、その機能を果すことができる。
さらに、第２の実施の形態に係る自動給水栓１ａでは、最も最適な保持手段５０として磁力を採用したが、バネ力を使用することも可能である。
【図面の簡単な説明】
【００２７】
【図１】図１は、本発明の第１の実施の形態に係る自動給水栓の側面図を示し、接続管の上端開口が閉塞されている状態を示す図である。
【図２】図２は、本発明の第１の実施の形態に係る自動給水栓の側面図を示し、接続管の上端開口が開放されている状態を示す図である。
【図３】図３は、本発明の第１の実施の形態に係る自動給水栓の側面図を示し、手動で接続管の上端開口が閉塞された状態を示す図である。
【図４】図４は、本発明の第１の実施の形態に係る自動給水栓の斜視図を示す図である。
【図５】図５は、本発明の第２の実施の形態に係る自動給水栓の側面図を示し、接続管の上端開口が閉塞されている状態を示す図である。
【図６】図６は、本発明の第２の実施の形態に係る自動給水栓の側面図を示し、接続管の上端開口が開放されている状態を示す図である。
【符号の説明】
【００２８】
１、１ａ          自動給水栓
２                給水用パイプライン
３                末端開口
５                スライド管（弁体）
６                弁座
７                フロート
５０              保持手段
５１              磁性部材（上下一対の磁性部材）
５３              上部磁性板材
５４              下部磁性板材
５２、５２’      磁石
１２              第１上板（支持部材）
【図１】
2005348613.tif 000003
【図２】
2005348613.tif 000004
【図３】
2005348613.tif 000005
【図４】
2005348613.tif 000006
【図５】
2005348613.tif 000007
【図６】
2005348613.tif 000008